(57)【要約】【課題】できるだけ簡単な構成であって、その操作が簡便で、しかも安全性に優れ、メンテナンスも容易な、押し花密封品の新しい製造装置を提供する。【解決手段】押し花品が溶融樹脂に密封された押し花密封品の製造装置であって、（Ａ）減圧吸引のための開孔が設けられた支持盤とその上部に押し花密封品用原資材が載置される多孔板または多孔シートを備えたプレス下方盤部と、（Ｂ）弾性シートを介して上部より押し花密封品用原資材に当接またはこれを押圧するプレス上方盤部とを有し、プレス下方盤部（Ａ）並びにプレス上方盤部（Ｂ）にはヒーターが装着されて温度コントローラーにより各々独立して昇温操作が可能とされているとともに、プレス下方盤部（Ａ）およびプレス上方盤部（Ｂ）の少くともいずれか一方は上下昇降機構によって他方を押圧可能とされており、この押圧時には、押し花密封品用原資材とその周囲が減圧とされる吸引減圧機構が配設されている押し花密封品の製造装置とする。【選択図】      図１
2004160937.tif 000002
【特許請求の範囲】
【請求項１】
押し花品が溶融樹脂に密封された押し花密封品の製造装置であって、
（Ａ）減圧吸引のための開孔が設けられた支持盤とその上部に押し花密封品用原資材が載置される多孔板または多孔シートを備えたプレス下方盤部と、
（Ｂ）弾性シートを介して上部より押し花密封品用原資材に当接またはこれを押圧するプレス上方盤部
とを有し、プレス下方盤部（Ａ）並びにプレス上方盤部（Ｂ）にはヒーターが装着されて温度コントローラーにより各々独立して昇温操作が可能とされているとともに、プレス下方盤部（Ａ）およびプレス上方盤部（Ｂ）の少くともいずれか一方は上下昇降機構によって他方を押圧可能とされており、この押圧時には、押し花密封品用原資材とその周囲が減圧とされる吸引減圧機構が配設されていることを特徴とする押し花密封品の製造装置。
【請求項２】
多孔板または多孔シートは、金属多孔板または金網、導電性繊維の織物あるいは不織布、導電性の多孔質樹脂またはセラミックスであることを特徴とする請求項１の押し花密封品の製造装置。
【請求項３】
多孔板または多孔シートは、その目開き（孔径）がＪＩＳ規格２０メッシュより小さいことを特徴とする請求項１または２の押し花密封品の製造装置。
【請求項４】
多孔板または多孔シートは多層に積載されていることを特徴とする請求項１ないし３のいずれかの押し花密封品の製造装置。
【請求項５】
多孔板または多孔シートの上には余剰の溶融樹脂を吸着もしくは吸収する多孔シートが配設されていることを特徴とする請求項１ないし４のいずれかの押し花密封品の製造装置。
【請求項６】
請求項４または５の製造装置において、上層の多孔板または多孔シートは、下層のものより目開き（孔径）が小さいことを特徴とする押し花密封品の製造装置。
【請求項７】
多孔板または多孔シートは、支持盤に対し、別体として装着脱自在とされていることを特徴とする請求項１ないし６のいずれかの押し花密封品の製造装置。
【請求項８】
請求項１ないし７のいずれかの製造装置において、弾性シートは気密性であることを特徴とする押し花密封品の製造装置。
【請求項９】
弾性シートは導電性であることを特徴とする請求項１ないし８のいずれかの押し花密封品の製造装置。
【請求項１０】
弾性シートは、プレス上方盤部（Ｂ）とは別体として、押し花密封品用原資材に対しその上部に載置と取外し自在とされていることを特徴とする請求項１ないし９のいずれかの押し花密封品の製造装置。
【請求項１１】
弾性シートは、押し花密封品用原資材の上部に載置もしくは当接されている時には、その周縁部は、多孔板または多孔シートに接触する平面大きさを有していることを特徴とする請求項１ないし１０のいずれかの押し花密封品の製造装置。
【請求項１２】
請求項１ないし１１のいずれかの製造装置において、ヒーターが装着されたプレス下方盤部（Ａ）とプレス上方盤部（Ｂ）とでは、押圧時のヒーター加熱による温度が相違するように温度コントローラーにより制御されていることを特徴とする押し花密封品の製造装置。
【請求項１３】
プレス下方盤部（Ａ）の温度は、プレス上方盤部（Ｂ）の温度よりも低くなるように制御されていることを特徴とする請求項１２の押し花密封品の製造装置。
【請求項１４】
押し花密封品用原資材が載置されたプレス下方盤部（Ａ）が所定の温度に昇温するまでは、プレス上方盤部（Ｂ）とによる押圧のための昇降機構が作動しないようにした昇降スイッチ制御機構が備えられていることを特徴とする請求項１ないし１０のいずれかの押し花密封品の製造装置。
【請求項１５】
プレス上方盤部（Ｂ）が所定の温度に昇温するまでには、プレス下方盤部（Ａ）とによる押圧のための昇降機構が作動しないようにした昇降スイッチ制御機構が備えれていることを特徴とする請求項１ないし１４のいずれかの押し花密封品の製造装置。
【請求項１６】
請求項１ないし１５のいずれかの製造装置において、プレス上方盤部（Ｂ）の昇降機構により降下されたプレス上方盤部（Ｂ）で減圧下に押圧されるようにしたことを特徴とする押し花密封品の製造装置。
【請求項１７】
プレス下方盤部（Ａ）が押圧時の所定位置にスライド移行して位置決めされるスライド機構を備えていることを特徴とする請求項１ないし１６のいずれかの押し花密封品の製造装置。
【請求項１８】
プレス上方盤部（Ｂ）とプレス下方盤部（Ａ）とが上下に対向する押圧時の所定位置に位置決めされるまでは、これらプレス盤部の昇降機構が作動しない昇降スイッチ制御機構が備えられていることを特徴とする請求項１ないし１７のいずれかの押し花密封品の製造装置。
【請求項１９】
プレス上方盤部（Ｂ）とプレス下方盤部（Ａ）の少くともいずれかが押圧時の所定の加熱温度になるまでは吸引減圧機構が作動しない吸引減圧スイッチ制御機構が備えられていることを特徴とする請求項１ないし１８のいずれかの押し花密封品の製造装置。
【請求項２０】
請求項１ないし１９のいずれかの製造装置であって、上下昇降機構の作動スイッチは、押しボタンスイッチ、アームレバースイッチ、足踏みペダルスイッチ、磁気または光スイッチの機構であることを特徴とする押し花密封品の製造装置。
【請求項２１】
押し花ボタンスイッチは、両手の各々の指で操作し、片方の手の指による操作では入力されないように、間隔を置いて配置されていることを特徴とする請求項２０の押し花密封品の製造装置。
【請求項２２】
請求項１ないし２１のいずれかの製造装置において、作動スイッチの操作を誘導指示する音声指示機構および光学指示機構の少くともいずれかを具備していることを特徴とする押し花密封品の製造装置。
【請求項２３】
請求項１ないし２２のいずれかの製造装置において、昇温開始後、もしくは昇降開始後には、その近傍に身体等の一部が接近した時はアラームを発する検知・警報装置が備えられていることを特徴とする押し花密封品の製造装置。
【発明の詳細な説明】
【０００１】
【発明の属する技術分野】
この出願の発明は、押し花密封品の製造装置に関するものである。さらに詳しくは、この出願の発明は、ガラス、食器、家具、鏡、時計、家電製品、メッセージボードやシート、名札、メモリアルカード、文具、葉書、電報、写真等々の様々な対象に対しての自然の草花の美しさをそのまま長期にわたって装飾品として使用することのできる、乾燥押し花を用いた押し花密封品の製造装置に関するものである。
【０００２】
【従来の技術と発明の課題】
従来より、各種の草花を乾燥させた押し花を厚紙やプラスチック等の基板に貼着させて装飾品としたものが知られており、メモリアルカードや、電報等にこれらの装飾品が用いられてきている。これらの従来の押し花装飾品の場合には、たとえば図３のシート体状のものを例にとると、厚紙や樹脂シート等の基板（１）の上に、乾燥させた押し花品（２）を載置して、その上に和紙や透明樹脂フィルム（３）を被覆した構成を持つものが代表的なものとして示されるが、これらの従来の押し花装飾品では、図３の断面Ａ−Ａを示した図４のように、和紙や透明樹脂フィルム（３）を押し花品（２）の周囲に袋状に被覆して、その周囲においてのみ接着剤層（４）を介して貼着しているか、あるいは図５に示したように、接着剤層（４）に押し花品（２）を埋込むようにして透明樹脂フィルム（３）とともにラミネートしたものとして構成されている。
【０００３】
そして、これらの押し花装飾品については、押し花品（２）の周囲に、空気や湿気ができるだけ残存しないように減圧雰囲気において貼着やラミネートを行うとの工夫や、圧着のための方法等についての改善もなされてきている。しかしながら、たとえば図４に示した袋状構造の装飾品の場合には、乾燥押し花品（２）の周囲には空気が残存し、湿気が残されたままで袋状とされているために、押し花品（２）は急速に劣化して変退色し、草花の自然の色合いや形状を保つことができないという欠点がある。しかも、この袋状構造では、押し花品（２）に近い表面位置（Ｂ）の表面フィルム（３）が損傷すると、直ちに外気と接触して、押し花品（２）は劣化してしまうという重大な問題がある。
【０００４】
また、透明樹脂フィルム（３）に変えて和紙を用いる場合には、通気が遮断できないために、劣化はさらに急速であった。これらの欠点は、接着剤層（４）に押し花品（２）を埋め込むようにした図５の構造のものでは比較的改善されているものの、押し花品（２）の基板（１）側には、たとえば花弁や葉の裏側、そして茎の表面等には空気、気泡が残存し、減圧雰囲気でのラミネートにおいても接着剤層（４）からこれを取除くことは難しく、製造時の減圧雰囲気、圧力、温度等の条件の設定も大変に難しく、変退色という劣化を抑えて、長期にわたって自然な色合いを保つことのできる高品質の押し花装飾品を生産性良く提供することは困難であった。
【０００５】
そして、図５の従来例の場合にも、気泡が残存していることから、表面の透明樹脂フィルム（３）が損傷されると押し花品（２）が直接外気に触れやすいことになり、劣化は進行しやすいという問題が残されていた。また、接着剤層（４）においては、基板（１）表面の凹凸も接着剤のまわり込みに大きく影響し、気泡を残存させる確率も大きくなることから、より平坦なものが要求されるという制約があった。このような問題は、従来の押し花装飾品においては、たとえばメモリアルカードや押し花電報について、押し花の周囲を切り取って、装飾品として再利用することも難しいという問題の原因となっていた。ハサミ等で切り取る時に、空気層や気泡部分が切断されて押し花品（２）が外気に対して露出し、劣化してしまうという問題が避けられなかったからである。
【０００６】
また、以上のような残存空気、気泡の存在は、押し花装飾品がより大きな面積になるに従ってその割合が多くなるため、結局のところ、従来品では、たとえば壁面装飾ボードのような大きな面積のものとすることができなかった。さらに、従来の押し花装飾品の場合には、図４および図５にも例示したように、基板（１）として紙や樹脂シート等を用いると、接着剤層（４）の硬化にともなう収縮によって、局部的に基板（１）に反りが生じやすく、基板（１）そのものがフラットな平坦な状態にならないという問題もあった。そしてこの問題は、不均一な反りの発生によって、空気溜まりも生じやすい原因の一つともなっていた。
【０００７】
このような基板（１）との関係では、従来の押し花装飾品では、基板（１）が、ガラスや木質材等の場合には、密着性の良好なものが得られていないのが実情でもあった。このような状況において、この出願の発明者らは、接着剤層（４）としてホットメルト材を使用し、低圧度の高い真空減圧雰囲気下での圧着により、空気溜り、気泡の残存を抑え、長期にわたって劣化の少ない押し花装飾品を提供することを可能とし、また、前記のような基板（１）の反りの発生を抑え、ガラス、木質材等を基板（１）とする場合にも、より大きな平面積のものであっても、自然の色合いが保たれた装飾品を提供することを可能とすべく鋭意検討した。
【０００８】
この検討によって、この出願の発明者らは、以上の問題点を解決し、高品質で、高い生産性で、極めて美的な、新しい押し花密封品を実現することのできる技術手段を見出してきた。すなわち、この手段は、基板の片面に、乾燥された押し花品が溶融樹脂により密封された中間層とその上部の透明フィルム表面層とが積層一体化されている押し花密封品であって、前記中間層は、溶融性多孔質樹脂フィルムが真空減圧下に加熱加圧され、溶融した樹脂が押し花品に密着してこれを密封したものであるとともに溶融した樹脂により基板および透明樹脂フィルム表面に固着されていることを特徴とする押し花密封品とするものである（特許文献１）。
【０００９】
これは、図６に示したように、基板（１）の片面に、乾燥された押し花品（２）が溶融樹脂（５０）により密封された中間層（５）と、その上部の透明樹脂フィルム表面層（６）とが積層一体化されている押し花密封品であって、中間層（５）は、溶融性多孔質樹脂フィルムが真空減圧下に加熱加圧され、溶融した樹脂（５０）が押し花品に密着してこれを密封したものであるとともに、溶融した樹脂（５０）により基板（１）および透明樹脂フィルム表面層（６）に固着されているものとすることである。
【００１０】
ここで、重要なことは、溶融した樹脂（５０）は、押し花品（２）の花弁、葉、茎、実等の表裏面の微細な凹凸や、その繊維形状等に沿ってくまなく密着し、空気溜りや気泡を存在させずに押し花品（２）を中間層（５）に埋め込んでいることと、基板（１）と透明フィルム表面層（６）に密着してこれらに硬化状態として固着されていることである。
【００１１】
図７は、減圧吸引装置を用いて上記の密封品を実現する方法を例示したものであるが、たとえば減圧吸引のための開孔（１１１）を持つ支持台（１１）上で四周に配置したゴム（１２）に囲まれた平面域に、綿布（１３）を置き、次いで基板（１）としての積層ＰＥＴ（ポリエチレンテレフタレート）フィルムを置く。
【００１２】
この積層ＰＥＴフィルムの上には、たとえば溶融温度７５℃、平均孔径が約０．２ｍｍで、厚み０．６ｍｍ（ＡＳＴＭ  ７０メッシュ相当）エチレン・酢酸ビニルコポリマーからなる溶融性多孔質樹脂フィルム（５１）、パンジーの真空乾燥押し花品（２）、上記同様の溶融性多孔質樹脂フィルム（５１）、並びにＰＥＴフィルムからなる透明フィルム（６１）、さらにカバーシート（１４）を順次重ね、約８０℃の温度において、７６０ｍｍＨｇの絶対真空度に限りなく近い状態に真空減圧して上方より約１〜５ｋｇ／ｃｍ２程度に押圧する。
【００１３】
得られる積層シート体は、図６において、基板（１）、中間層（５）、透明樹脂フィルム表面層（６）を有し、中間層（５）には押し花品（２）が溶融した樹脂（５０）に密着されて密封されており、空気溜り、気泡は認められず、また、基板（１）については反りやねじれが認められない。
【００１４】
また、押し花品（２）は、６ケ月以上の長期に渡って自然の色合いを保持し、その色合いは鮮明で美しい。
【００１５】
以上のように、この出願の発明者らによって、高品質で、自然の美観性に優れた押し花密封品を簡便に提供することが可能とされてきた。
【００１６】
しかしながら、発明者らの更なる詳細な検討により、以上のとおりの方法を、簡便な操作で、メンテナンスが容易であって、高品質な押し花密封品を安定して中長期にわたって製造可能とし、しかも加熱や減圧吸引、そして加圧等についての安全性も良好なプロセスとして実現するための製造装置については工夫が望まれていることが把握されてきた。
【００１７】
それというのも、押し花密封品は、工芸品や土産品、あるいは教育資材、装飾品、記念品等として、高品質であればある程、価値が高く、その製造のための装置は、その操作が簡便で、しかも安全性に優れ、メンテナンスも容易であればある程、児童教育施設、小中学校、社会人教育施設、公民館、各種の展示会やイベント会場、病院等の医療施設、老人ホーム、売店、土産物店等において、広く一般に利活用される可能性が高いからである。これまでの発明者らの検討では、これらの観点で工夫が必ずしも充分でなかったからである。
【００１８】
【特許文献１】
特開平１１−７８３９８号公報
【００１９】
そこで、この出願の発明は、以上のとおりの背景よりなされたものであって、できるだけ簡単な構成であって、その操作が簡便で、しかも安全性に優れ、メンテナンスも容易な、押し花密封品の新しい製造装置を提供することを課題としている。
【００２０】
【課題を解決するための手段】
この出願の発明は、上記の課題を解決するものとして、第１には、押し花品が溶融樹脂に密封された押し花密封品の製造装置であって、
（Ａ）減圧吸引のための開孔が設けられた支持盤とその上部に押し花密封品用原資材が載置される多孔板または多孔シートを備えたプレス下方盤部と、
（Ｂ）弾性シートを介して上部より押し花密封品原資材に当接またはこれを押圧するプレス上方盤部
とを有し、プレス下方盤部（Ａ）並びにプレス上方盤部（Ｂ）にはヒーターが装着されて温度コントローラーにより各々独立して昇温操作が可能とされているとともに、プレス下方盤部（Ａ）およびプレス上方盤部（Ｂ）の少くともいずれか一方は上下昇降機構によって他方を押圧可能とされており、この押圧時には、押し花密封品原資材の周囲が減圧とされる吸引減圧機構が配設されていることを特徴とする押し花密封品の製造装置を提供する。
【００２１】
第２には、この出願の発明は、多孔板または多孔シートは、金属多孔板または金網、導電性繊維の織物あるいは不織布、導電性の多孔質樹脂またはセラミックスであることを特徴とする押し花密封品の製造装置を、第３には、多孔板または多孔シートは、その目開き（孔径）がＪＩＳ規格２０メッシュより小さいことを特徴とする押し花密封品の製造装置を、第４には、多孔板または多孔シートは多層に積載されていることを特徴とする押し花密封品の製造装置を、第５には、多孔板または多孔シートの上には余剰の溶融樹脂を吸着もしくは吸収する多孔シートが配設されていることを特徴とする押し花密封品の製造装置を、第６には、上層の多孔板または多孔シートは、下層のものより目開き（孔径）が小さいことを特徴とする押し花密封品の製造装置を、第７には、多孔板または多孔シートは、支持盤に対し、別体として装着脱自在とされていることを特徴とする押し花密封品の製造装置を提供する。
【００２２】
また、この出願の発明は、第８には、以上の製造装置において、弾性シートは気密性であることを特徴とする押し花密封品の製造装置を提供し、第９には、弾性シートは導電性であることを特徴とする押し花密封品の製造装置を第１０には、弾性シートは、プレス上方盤部（Ｂ）とは別体として、押し花密封品用原資材に対しその上部に載置と取外し自在とされていることを特徴とする押し花密封品の製造装置を、第１１には、弾性シートは、押し花密封品用原資材の上部に載置もしくは当接されている時には、その周縁部は、多孔板または多孔シートに接触する平面大きさを有していることを特徴とする押し花密封品の製造装置を提供する。
【００２３】
そして、この出願の発明は、第１２には、上記のいずれかの製造装置において、ヒーターが装着されたプレス下方盤部（Ａ）とプレス上方盤部（Ｂ）とでは、押圧時のヒーター加熱による温度が相違するように温度コントローラーにより制御されていることを特徴とする押し花密封品の製造装置を提供し、第１３には、プレス下方盤部（Ａ）の温度は、プレス上方盤部（Ｂ）の温度よりも低くなるように制御されていることを特徴とする押し花密封品の製造装置で、第１４には、押し花密封品用原資材が載置されたプレス下方盤部（Ａ）が所定の温度に昇温するまでは、プレス上方盤部（Ｂ）とによる押圧のための昇降機構が作動しないようにした昇降スイッチ制御機構が備えられていることを特徴とする押し花密封品の製造装置を、第１５には、プレス上方盤部（Ｂ）が所定の温度に昇温するまでには、プレス下方盤部（Ａ）とによる押圧のための昇降機構が作動しないようにした昇降スイッチ制御機構が備えれていることを特徴とする押し花密封品の製造装置を提供する。
【００２４】
さらに、この出願の発明は、第１６には、以上いずれかの製造装置において、プレス上方盤部（Ｂ）の昇降機構により降下されたプレス上方盤部（Ｂ）で減圧下に押圧されるようにしたことを特徴とする押し花密封品の製造装置を提供し、第１７には、プレス下方盤部（Ａ）が押圧時の所定位置にスライド移行して位置決めされるスライド機構を備えていることを特徴とするいずれかの押し花密封品の製造装置を、第１８には、プレス上方盤部（Ｂ）とプレス下方盤部（Ａ）とが上下に対向する押圧時の所定位置に位置決めされるまでは、これらプレス盤部の昇降機構が作動しない昇降スイッチ制御機構が備えられていることを特徴とする押し花密封品の製造装置を提供する。
【００２５】
第１９には、プレス上方盤部（Ｂ）とプレス下方盤部（Ａ）の少くともいずれかが押圧時の所定の加熱温度になるまでは吸引減圧機構が作動しない吸引減圧スイッチ制御機構が備えられていることを特徴とする押し花密封品の製造装置を提供する。
【００２６】
第２０には、以上いずれかの製造装置であって、上下昇降機構の作動スイッチは、押しボタンスイッチ、アームレバースイッチ、足踏みペダルスイッチ、磁気または光スイッチ等の機構であることを特徴とする押し花密封品の製造装置を提供し、第２１には、押し花ボタンスイッチは、両手の各々の指で操作し、片方の手の指による操作では入力されないように、間隔を置いて配置されていることを特徴とする押し花密封品の製造装置を提供する。
【００２７】
そして、第２２には、以上のいずれかの製造装置において、作動スイッチの操作を誘導指示する音声指示機構および光学指示機構の少くともいずれかを具備していることを特徴とする押し花密封品の製造装置を提供し、第２３には、昇温開始後、もしくは昇降開始後には、その近傍に身体等の一部が接近した時はアラームを発する検知・警報装置が備えられていることを特徴とする押し花密封品の製造装置を提供する。
【００２８】
【発明の実施の形態】
この出願の発明は上記のとおりの特徴をもつものであるが、以下にその実施の形態について説明する。
【００２９】
添付した図面の図１は、この出願の発明の製造装置についての基本的構成を例示した概要断面図である。たとえばこの図１に例示したように、まず、減圧吸引のための開孔（１０Ａ）が設けられた支持盤（１０１）と、その上部に押し花密封品用原資材（１０２）が載置される多孔板または多孔シート（１０３）を備えたプレス下方盤部（Ａ）が備えられている。また、弾性シート（１０４）を介して上部より押し花密封品用原資材（１０２）に当接またはこれを押圧するプレス上方盤部（Ｂ）を備えている。
【００３０】
そして、この出願の発明の製造装置では、たとえば、プレス下方盤部（Ａ）並びにプレス上方盤部（Ｂ）の各々にはヒーター（１０５）が装着されて、温度コントローラー（１０６）によって各々が独立して昇温操作が可能とされており、プレス下方盤部（Ａ）およびプレス上方盤部（Ｂ）の少くともいずれか一方は、上下昇降機構（１０７）によって他方を押圧可能としている。さらに、この構成において、押圧時には、押し花密封品用原資材（１０２）とその周囲が減圧される吸引減圧機構（１０８）が配設されている。
【００３１】
以上のような基本的な構成を有するこの出願の発明の製造装置では、なによりも、多孔板または多孔シート（１０３）と弾性シート（１０４）の配設、そしてプレス下方盤部（Ａ）とプレス上方盤部（Ｂ）の各々にヒーター（１０５）を装着し、この各々のヒーター（１０５）について、温度コントローラー（１０６）によって相互に独立して別々に昇温操作、つまり加熱を行えるようにしたことを大きな特徴としている。多孔板または多孔シート（１０３）は、吸引減圧による押し花とその周囲での減圧雰囲気を均一、効率的に、安定して形成し、また弾性シート（１０４）によって、溶融した樹脂の押し花やその周囲への浸透、含浸、密着を押圧力のバランス保持として効果的なものとし、昇温の速度並びに昇温による最高温度を各々別々に設定並びに操作可能とすることで、乾燥押し花密封品の製造時の樹脂溶融とこれによる押し花の密封を、気泡、空気の残存を限りなく排除し、湿気の混入を防止して極めて良好に行うことを可能としている。
【００３２】
この場合の多孔板または多孔シート（１０３）については、金属、樹脂、繊維、布、セラミックス、木質材等の各種のものであってよいが、なかでも、導電性を有するものが好適に用いられる。押し花密封品の製造におけるプレス下方盤部（Ａ）とプレス上方盤部（Ｂ）とによる押圧に際しては、その押圧解除、つまり、プレス下方盤部（Ａ）とプレス上方盤部（Ｂ）との離型とともに静電気が発生し、乾燥時、特に冬場においてはこの静電気は作業者にショックを与えることから、多孔板または多孔シート（１０３）を導電性のものとすることでこのようなショックを未然に防ぐことができる。
【００３３】
導電性であれば、金属多孔板や金網、あるいは導電性繊維の織物や不織布、導電性の多孔樹脂やセラミックス等の各種のものが好適に使用される。なかでも入手の容易さや交換等のメンテナンスの容易さ、形状の安定性等の点において、さらに吸引減圧の均一的効果の観点において、金網は実際的に好適である。
【００３４】
これらの金網等の多孔板または多孔シート（１０３）とともに、あるいはこれに代えて弾性シート（１０４）を導電性のものとすることも有効である。
【００３５】
そして、このような多孔板または多孔シート（１０３）については、その目開き（孔径）は、支持盤（１０１）の開孔（１０Ａ）よりも小さく、一般的には、ＪＩＳ規格の２０メッシュより小さいことが好適である。たとえば２５メッシュ、あるいは３０メッシュ、さらには５０メッシュ程度の目開きのものとすることが実際的に好適である。
【００３６】
そして、多孔板または多孔シート（１０３）については、たとえば図１にも例示したように、多孔板または多孔シート（１０３Ａ）（１０３Ｂ）として、多層に積層されるものであってもよい。
【００３７】
この多層化は、吸引減圧の均一化と安定した押圧に有効であり、また、上層の多孔板または多孔シート（１０３Ｂ）には、押圧時の余剰の溶融樹脂をその目開き部に吸着もしくは吸引することができ、吸引減圧や離型時の型離れを容易ともする。溶融樹脂の吸着あるいは吸引のための多孔板または多孔シート（１０３Ｂ）としてはたとえば織布などが好ましいものとして例示される。
【００３８】
また、以上のような多層化を行う場合には、吸引減圧をスムースとするために、上層の多孔板または多孔シート（１０３Ｂ）の目開き（孔径）は、下層の多孔板または多孔シート（１０３Ａ）よりも小さくすることが好ましい。たとえば、下層の目開きが３０メッシュであれば上層の目開きは５０メッシュとすること等が考慮される。
【００３９】
多孔板または多孔シート（１０３）（１０３Ａ）（１０３Ｂ）については、特にその厚みに制限はないが、過度に厚いと、吸引減圧や押圧の負担が大きくなるため好ましくない。これらの全体としての厚みは、たとえば５ｍｍ以下とするのが好ましい。また多孔板もしくは多孔シート（１０３）は、支持盤（１０１）に対して別体として押し花密封品の製造時に載置されるものでもよいし、支持盤（１０１）に対し、たとえば枠体等によって、あらかじめ取付けられてもよいし、支持盤（１０１）と一体成形されたものであってもよい。メンテナンスの観点からは別体として載置されるか、あるいは着脱自在に取付けられているものが好適である。
【００４０】
弾性シート（１０４）は、プレス上方盤部（Ｂ）による押圧時に、押し花密封品用原資材のうちの樹脂の溶融にともなう変化に追随する柔軟性を有し、厚み方向への復帰性を有していることが好ましい。また、プレス上方盤部（Ｂ）による加圧押圧からの離型性が良好であることも好ましい。このような弾性シート（１０４）としては、たとえばシリコンゴム系素材からなるものが一つの例として示される。
【００４１】
さらに前記のとおり、押圧状態からの離型時の静電気によるショックを緩和するためには、これらの弾性シート（１０４）が導電性を有していることも有効である。
【００４２】
弾性シート（１０４）については、より実際的には、気密性を有していることが好ましい。前記の吸引減圧の操作において、押し花密封品用原資材（１０２）とその周辺を効果的に減圧雰囲気とするのに有効である。ゴム系のシートの場合には気密性に優れたものとなる。このような減圧雰囲気の形成のためには、弾性シート（１０４）は、押し花密封品用原資材（１０２）の上部に載置もしくは当接されている時に、シート周縁部が、多孔板または多孔シート（１０３）に直接に接触する平面大きさを有していることが好ましい。弾性シート（１０４）には、その周縁部に、図１にも例示しているように、剛性の金属等による枠体（１０４Ａ）を設けてもよいし、シート材の重量や平面大きさの選択、あるいは周縁部への突条や吸盤の配置等によってこのような枠体（１０４Ａ）を使用しなくてもよい。減圧雰囲気を形成するのに有効であれば様々な態様が採用されることになる。
【００４３】
もちろん、この弾性シート（１０４）についてもプレス上方盤部（Ｂ）とは別体として使用されていてもよいし、これに着脱自在に取付けられていてもよい。このいずれの形態においても、その交換や修理のメンテナンスが容易とされる。
【００４４】
次に、この出願の発明のもう一つの基本的な特徴としてのヒーター加熱について説明すると、前記のとおり、各々、独立して昇温操作可能とされているプレス下方盤部（Ａ）のヒーター（１０５）とプレス上方盤部（Ｂ）のヒーター（１０５）とでは、押圧時のヒーター加熱による温度が相違するように温度コントローラー（１０６）により制御されていること、特に、プレス下方盤部（Ａ）の加熱温度（ＴＡ）は、プレス上方盤部（Ｂ）の加熱温度（ＴＢ）よりも低く、つまりＴＡ＜ＴＢとなるように制御されていることが好ましい。
【００４５】
たとえば一つの例としては、ＴＡ＝６０℃であり、ＴＢ＝９０℃として、約７５〜８０℃で溶融する多孔樹脂を用いて押し花密封品を製造することである。
【００４６】
たとえば以上のような基本的構成とその実施の形態として例示されるこの出願の発明の製造装置は、その全体外形について各種の態様であってよいことは言うまでもない。たとえば、運搬、移動、その使用を簡便として、コンパクトに集約した装置として、図２のように箱体状の外形構成としたものが例示される。
【００４７】
この図２では、たとえば金属製の枠体（１０９）に開口部（１１０）を設け、この開口部（１１０）において、プレス下方盤部（Ａ）を図中矢印のように、スライド移動によって引出しと装着を自在としている。プレス上方盤部（Ｂ）や吸引減圧機構（１０８）は枠体（１０９）内に配置されている。枠体（１０９）については、図２の例の出角部を丸みのある湾曲状としてもよいし、カットした多面状態としてもよい。こうすることによって、児童や高齢者等が押し花密封品の作製のためにこの出願の発明の製造装置を操作する場合にも、万一、身体の一部、たとえば頭部、顔面等が当ったり、接触しても、これによる身体への危険性は大きく回避されることになる。
【００４８】
プレス下方盤部（Ａ）とプレス上方盤部（Ｂ）とによる押圧では、いずれか一方が上下昇降するようにしてもよいし、両者が上下昇降するようにしてもよいが、図２の例においては、枠体（１０９）内に配置されたプレス上方盤部（Ｂ）が上下昇降して、スライド可能で高さ位置が一定のプレス下方盤部（Ａ）を押圧するようにしている。
【００４９】
図２の例では、プレス下方盤部（Ａ）がスライドして引出された状態と、枠体（１０９）内に押し込まれている状態とが明瞭に判別されるので、吸引減圧と押圧操作に対しての作業者にとって識別性が良好となり、より安全性の高いものとなる。スライド移行については、たとえばレール手段（１１２）等によって簡便に構成でき、枠体（１０９）に設けた前方および横側の開口部（１１０）からのメンテナンスも容易に行われる。
【００５０】
もちろん、このようなスライド移行の機構については、図２の例のように、前方への引出しと後方への押し込みというスライド方式だけでなく、枠体（１０９）の左右の開口部（１１０）のいずれかでの、もしくは両方でのプレス下方盤部（Ａ）の出入れスライドが自在とされている方式のものも考慮される。これらの方式は、この出願の発明の製造装置の設置状況、場所、そして利用（使用）者やその利用（使用）の態様に応じて選択されてよい。
【００５１】
さらに、この出願の発明の押し花密封品製造装置では、図２の例の構造に限定されることなく、プレス下方盤部（Ａ）が位置固定され、プレス上方盤部（Ｂ）がスライド、あるいは回動して位置設定されるようにしてもよいことは言うまでもない。プレス下方盤部（Ａ）およびプレス上方盤部（Ｂ）のいずれも移動されるようにしてもよい。
【００５２】
安全性をさらに高めるためには、プレス下方盤部（Ａ）がたとえば図２の引出された状態から押圧時の所定位置に、つまり枠体（１０９）内の所定位置に位置決めされるまでは、プレス上方盤部（Ｂ）の降下が生じないように、プレス盤部の昇降機構が作動しない自動昇降スイッチ機構が備えられたものとすることが考慮される。
【００５３】
前記のヒーター（１０５）による加熱の観点においては、押し花密封品用原資材（１０２）が載置されたプレス下方盤部が所定の温度に昇温するまでは、プレス上方盤部（Ｂ）とによる押圧のための前記の昇降機構（１０７）が作動しないようにすることや、プレス上方盤部（Ｂ）が所定の温度に昇温するまでは昇降機構（１０７）が作動しないようにすること、もしくは上下のプレス盤部（Ａ）（Ｂ）がともに所定の温度になるまでは作動しないようにすることも考慮される。これらのことは、より高品質の押し花密封品を製造するために好ましいことであって、所定温度にまでヒーター（１０５）により加熱し、次いで押圧（プレス）することが有効であること、さらには、プレス下方盤部（Ａ）、プレス上方盤部（Ｂ）の両者の加熱が高品質押し花密封品の製造に有効であって、しかも、前記のように、そのヒーター加熱温度をＴＡ＜ＴＢとすることが有効であること等のこの出願の発明者によりはじめて見出された知見に基づいている。
【００５４】
また、プレス下方盤部（Ａ）とプレス上方盤部（Ｂ）とによる押圧に際しては、あらかじめ吸引減圧機構（１０８）による減圧操作が行われることが好ましいが、プレス下方盤部（Ａ）とプレス上方盤部（Ｂ）の少くともいずれかが押圧時の所定温度になるまでは吸引減圧機構（１０８）が作動しないように自動吸引減圧スイッチ制御機構が設けられていることも有効である。これによって、押し花密封品内部での空気や湿気の残存を効果的に抑制し、より高品質の押し花密封品の製造を可能とすることになる。
【００５５】
図２には、たとえば以上のような機構、機能を備えた製造装置が例示されており、枠体（１０９）の前面には、プレス下方盤部（Ａ）のヒーターＯＮ／ＯＦＦスイッチ（１１３）と温度表示パネル（１１４）、プレス上方盤部（Ｂ）のヒーターＯＮ／ＯＦＦスイッチ（１１５）と温度表示パネル（１１６）、真空計（１１７）と吸引減圧ポンプの作動スイッチ（１１８）、そしてプレス上方盤部（Ｂ）の昇降機構の作動スイッチ（１１９）が設けられている。
【００５６】
以上のようなスイッチ類については、安全性や、児童、老人、身体障害者等による利便性を考慮して、ボタンスイッチだけでなく、アームレバースイッチや足踏みペダルスイッチ、あるいは磁気、光スイッチ等のリモートコントロールスイッチ等を用いてもよい。
【００５７】
そして、この出願の発明の押し花密封品の製造装置においては、これを児童や高齢者の利便性、そして安全性をより高めるために、たとえば前記のスイッチを含めて、作動スイッチの操作を利用（使用）者にとってわかりやすく誘導指示するための、音声指示機構および光学指示機構のいずれか、もしくは両方を具備したものとすることも有効である。
【００５８】
さらに安全性を高めるためには、プレス下方盤部（Ａ）およびプレス上方盤部（Ｂ）による押圧のための昇降開始時およびその後には、近傍に身体等の一部が接近した場合にアラームを発する警報装置を設けることも考慮される。
【００５９】
また、メンテナンス時を除いて開口部（１１０）に手指が差込まれた場合アラームを発するようにした警報装置の設置も考慮される。
【００６０】
そして、この出願の発明の押し花密封品の製造装置においては、さらに様々な形態が考慮され、たとえば、装置本体フレームとしての枠体（１０９）に付属するものとして、サイドテーブルやサイドプレートを着脱自在、ないしは引出し使用可能とすることや、安全性のために、モニターカメラを設置すること、利用（使用）記録のための記録、さらには表示装置を設置し、これらを設置場所以外の別の場所においてもモニター、確認できるようにすることも考慮される。
【００６１】
また、装置の構成として、児童や高齢者にとってより危険度の高いスイッチ部や作動・制御部は、メンテナンス時以外には外部より接することができないように、装置に内蔵しておくことや、熱利用の効率を高めるために、反射シートや反射板を適宜な箇所に設けること等も有効である。
【００６２】
たとえば以上例示したこの出願の発明の装置においては、前記特許文献１に記載されたこの出願の発明者による方法を、簡便な操作で、メンテナンスが容易であって、高品質な押し花密封品を安定して中長期にわたって製造可能とし、しかも加熱や減圧吸引、そして加圧等についての安全性も良好なプロセスとして実現することができる。
【００６３】
押し花密封品は、工芸品や土産品、あるいは教育資材、装飾品、記念品等として、高品質であればある程、価値が高く、その製造のための装置は、その操作が簡便で、しかも安全性に優れ、メンテナンスも容易であればある程、児童教育施設、小中学校、社会人教育施設、公民館、各種の展示会やイベント会場、病院等の医療施設、老人ホーム、売店、土産物店等において、広く一般に利活用される可能性が高いことから、この出願の発明の装置は、野草や農園芸品からの押し花、さらにはこれに加えて昆虫等を密封したものとして、極めて特徴のある押し花密封品の製造に際し、これらの要求に充分に対応することができるものとなる。
【００６４】
もちろん、この出願の発明の装置は、この出願の発明者によってすでに提案されている方法だけでなく、ラミネート方法等の従来の各種の方法にも適用可能である。
【００６５】
【発明の効果】
以上詳しく説明したとおり、この出願の発明によって、できるだけ簡単な構成であって、その操作が簡便で、しかも児童や高齢者が活用する場合であっても安全性に優れ、メンテナンスも容易な、押し花密封品の新しい製造装置を提供することができる。
【図面の簡単な説明】
【図１】この出願の発明の装置構成の基本を例示した概要図である。
【図２】装置例を示した斜視図である。
【図３】押し花密封品を例示した斜視図である。
【図４】従来品の断面図である。
【図５】別の従来品の断面図である。
【図６】発明者がすでに提案した押し花密封品の断面図である。
【図７】図６の密封品の製造方法を例示した概要図である。
【符号の説明】
Ａ  プレス下方盤部
Ｂ  プレス上方盤部
１０Ａ  開孔
１０１  支持盤
１０２  押し花密封品用原資材
１０３，１０３Ａ，１０３Ｂ  多孔板または多孔シート
１０４  弾性シート
１０４Ａ  枠体
１０５  ヒーター
１０６  温度コントローラー
１０７  上下昇降機構
１０８  吸引減圧機構
１０９  枠体
１１０  開口部
１１２  レール手段
１１３，１１５  ヒーターＯＮ／ＯＦＦスイッチ
１１４，１１６  温度表示パネル
１１７  真空計
１１８  吸引減圧ポンプ作動スイッチ
１１９  昇降機構の作動スイッチ
【図１】
2004160937.tif 000003
【図２】
2004160937.tif 000004
【図３】
2004160937.tif 000005
【図４】
2004160937.tif 000006
【図５】
2004160937.tif 000007
【図６】
2004160937.tif 000008
【図７】
2004160937.tif 000009